(57)【要約】【課題】本発明では、走行車体上から空の苗箱を降ろす作業が畦道から圃場に入ることなく行えるようにして、空苗箱の積み降ろし作業を楽に行えるようにすることを課題とする。【解決手段】ステアリングハンドル２３の後方に運転席２０を設けた乗用型走行車体１０の後部に苗植装置１２を設けた苗移植機において、乗用型走行車体１０の前側に張り出して走行車体１０上から空苗箱７を挿入可能でかつ走行車体１０の前側から該空苗箱７を取り出し可能な位置に空苗箱収納枠１を設けたことを特徴とする苗移植機とする。【選択図】図３
2010273555.tif 000002
【特許請求の範囲】
【請求項１】
ステアリングハンドル（２３）の後方に運転席（２０）を設けた乗用型走行車体（１０）の後部に苗植装置（１２）を設けた苗移植機において、乗用型走行車体（１０）の前側に張り出して走行車体（１０）上から空苗箱（７）を挿入可能でかつ走行車体（１０）の前側から該空苗箱（７）を取り出し可能な位置に空苗箱収納枠（１）を設けたことを特徴とする苗移植機。
【発明の詳細な説明】
【技術分野】
【０００１】
本発明は、水稲苗やイグサ苗を圃場に移植する苗移植機で、空の苗箱を取り扱い易くする構成に関する。
【背景技術】
【０００２】
苗移植機では、苗植装置の苗タンク上に載せたマット状の苗の他に予備の苗箱を多数走行車体に積載し、苗タンク上の苗が無くなると予備の苗箱から苗を苗タンクへ補給し、空の苗箱を走行車体の適宜位置に仮置きして、搭載した苗が無くなるまで圃場を走りながら移植作業を行い、苗が無くなると畦道に戻って苗と苗箱の補充を行っている。
【０００３】
例えば、特開平８−１１６７３６号公報には、走行機体の前側左右に三段に予備苗台を設けた予備苗箱支持台を設け、この立設した予備苗箱支持台の内側に空の苗箱を上から差し込む空箱担持板を設けて、苗タンクへ苗の補給が済んだ空の苗箱を空箱担持板に保持して植付作業を続けるようにしている。
【０００４】
また、特開２００７−２２２１１３号公報には、走行機体の前側左右に立設した予備苗箱支持枠に設ける苗箱支持台を略水平にした使用状態と略垂直にした収納状態にするようにする構成が記載されている。
【先行技術文献】
【特許文献】
【０００５】
【特許文献１】特開平８−１１６７３６号公報
【特許文献２】特開２００７−２２２１１３号公報
【発明の概要】
【発明が解決しようとする課題】
【０００６】
移植作業の途中に走行車体に積載した苗が無くなると、苗の補充のために畦道に近づいて停止し、走行車体上から空の苗箱を畦道に移し苗を苗タンク上に載せたり苗の載った苗箱を予備苗箱台に載せたりするが、空苗箱積載位置が畦道から離れていると、苗の補充のために畦道から圃場に入ったり出たりを繰り返さなければならない。
【０００７】
そこで、本発明では、走行車体上から空の苗箱を降ろす作業が畦道から圃場に入ることなく行えるようにして、空苗箱の積み降ろし作業を楽に行えるようにすることを課題とする。
【課題を解決するための手段】
【０００８】
上記本発明の課題は、次の技術手段により解決される。
請求項１に記載の発明は、ステアリングハンドル２３の後方に運転席２０を設けた乗用型走行車体１０の後部に苗植装置１２を設けた苗移植機において、乗用型走行車体１０の前側に張り出して走行車体１０上から空苗箱７を挿入可能でかつ走行車体１０の前側から該空苗箱７を取り出し可能な位置に空苗箱収納枠１を設けたことを特徴とする苗移植機とする。
【０００９】
この構成で、走行車体１０上で作業者が苗箱から苗タンクへ苗を移した後に空苗箱７を空苗箱収納枠１へ収納し、苗タンク上と予備苗箱の苗が無くなると、走行車体１０を移動して走行車体１０の前側を畦道に接近して停止し、畦道側の作業者が空苗箱収納枠１から空の苗箱を取り出し、苗を載せた苗箱を予備苗箱積載台へ載せて、再び苗の移植作業を続行する。
【発明の効果】
【００１０】
請求項１の発明によると、空箱の取出しが畦道に居る作業者が圃場へ入ることなく出来るために、苗の植え付け作業中の苗補充作業が楽になる。
【図面の簡単な説明】
【００１１】
【図１】イグサ苗移植機の全体側面図である。
【図２】イグサ苗移植機の全体平面図である。
【図３】イグサ苗移植機の前側斜視図である。
【図４】空苗箱収納枠の取付部の斜視図である。
【図５】空苗箱収納枠の取付部の拡大斜視図である。
【図６】イグサ苗移植機の運転席側から見た斜視図である。
【図７】別実施例のイグサ苗移植機の全体側面図である。
【図８】繰出ベルト駆動部の拡大側面図と、その一部の断面図である。
【図９】カムアーム操作連動部の側面図である。
【図１０】苗押え杆部の平面図と、その一部の拡大断面図である。
【図１１】苗押え杆部の側面図である。
【図１２】要部の平断面図である。
【図１３】要部の側断面図である。
【図１４】縦植付フレーム後部の平断面図である。
【図１５】苗タンクの拡大平面図である。
【図１６】苗タンクの拡大平断面図である。
【図１７】苗植装置の側面図である。
【図１８】苗植装置の平面図である。
【図１９】別実施例の苗植装置の側面図である。
【図２０】別実施例の苗タンクの上部側面図である。
【図２１】別実施例の苗タンクの上部側面図である。
【図２２】別実施例の苗タンクの上部側面図である。
【図２３】苗取出ガイドの拡大平面図である。
【図２４】苗箱への苗植付道具の斜視図である。
【発明を実施するための形態】
【００１２】
以下、図面に基づき、本発明の好ましい一つの実施形態について説明する。
図面は本発明を用いた一実施例のイグサ苗用の苗移植機であって、苗箱に入れた床土に縦横所定ピッチで一株分ずつのイグサ苗を挿して所定期間育苗したイグサマット状苗Ｎから一株を掻き取って圃場に移植するものである。
【００１３】
乗用型走行車体１０の後側に昇降リンク１１を介して苗植装置１２を連結する。この苗植装置１２は、昇降リンク１１の後端にロ−リング軸１３周りに回動可能に連結される苗植フレーム１４上に、苗を載せて繰出供給する繰出ベルト１５を有した多条植形態の苗タンク１６と、この各苗タンク１６の後下端に繰り出される苗を分離して土壌面に挿植する苗植付爪１７等を設ける。この縦植付フレーム１４の下側には、土壌面を滑走しながら圃場面を均平する中央部のセンタフロート１８、及び左右両側のサイドフロート１９が設けられている。
【００１４】
乗用型走行車体１０中央部の運転席２０を支持するエンジンカバー２１の下には、エンジン２２を搭載し、ステアリングハンドル２３の旋回操作で操向される左右前輪２４と左右後輪２５を配置して、エンジン２２の駆動にて走行する四輪駆動走行形態の構成としている。
【００１５】
そして、運転席２０の前方及び左右側方に配置したステップフロア２６の前部左右側には支柱３８を立設し、この支柱３８に補給用苗箱載台２７を六段に設けて、ステップフロア２６に居る作業者が補給用苗箱載台２７から苗箱を取り出して後方の苗タンク１６へ苗Ｎを補給可能にしている。なお、補給用苗箱載台２７は、樹脂製の板状体で、同一形状のものを片側六段に配置しているが、最下段の補給用苗箱載台２７には、苗箱１０３を外側寄りに載せるように規制具を取り付けて、運転席２０に座った作業者が補給用苗箱載台２７に設けるスリットからサイドマーカを見ることが出来るようにしている。
【００１６】
図３と図４に示す如く、最下段の補給用苗箱載台２７の前側左右にパイプ６とフック５を設け、空苗箱収納枠１の支持枠２の縦杆３をパイプ６に差し込み横杆４をフック５に引っ掛けて取り付けている。パイプ６とフック５は、図５に示す如く、上下二段の補給用苗箱載台２７を連結する補強プレート６０に設け、補強プレート６０はボルト杆６１とナット６２で補給用苗箱載台２７に固定している。
【００１７】
空苗箱収納枠１は、桟で上側と内側を解放した箱条に形成し、図６の如く空苗箱収納枠１を内のステアリングハンドル２３側に向けて開口しているので、空苗箱７をステップフロア２６側から積み重ねて載置出来るようになる。また、この空苗箱収納枠１は機体の前方へ張り出しているので、圃場で機体の前側を畦道に近づけて停止して苗を補給する時に畦道に居る作業者が圃場内へ立ち入ることなく、空苗箱７を空苗箱収納枠１から取り出せるようになる。空苗箱収納枠１の底部に滑り線１０９を設けて空苗箱７が滑り込み易くしている。
【００１８】
図７に示す空苗箱収納枠１は、補給用苗箱載台２７から前方へ張り出す支持アーム８の先端に下部を支軸９で前後に回動するように設け、機体側に向けて傾けてステップフロア２６側から空苗箱７を空苗箱収納枠１に差し込み、畦道側に向けて傾けて空苗箱７を取り出すようにしている。
【００１９】
前記昇降リンク１１は平行リンク形態に構成されて、乗用型走行車体１０との間に設けられるリフトシリンダ２８の伸縮によって昇降する構成としている。車体１０の後部にはＰＴＯ軸２９を設けて、前記苗植装置１２の苗植フレーム１４に設けられるロ−リング軸１３の軸芯上の入力軸３０を連結して、苗植装置１２の各連動部に動力を伝動する。
【００２０】
前記苗植フレーム１４には、３つの縦植付フレーム３１を後方に向けて延出して設け、この３つの各縦植付フレーム３１の各後端部に、駆動回転クランク１７ａと揺動クランク１７ｂにて昇降駆動される苗植付爪１７が装着されている。苗植フレーム１４の上側には機体横方向に沿うリ−ドカム軸３２や苗タンク１６の横移動を案内支持する支持フレーム３３、及び苗取出ガイド３４を設け、このリ−ドカム軸３２の伝動回転によって苗タンク１６を苗植付条間隔にわたって左右往復移動させる。
【００２１】
苗取出ガイド３４には、図２３に示す如く、苗取出口３９の左右に鋸刃を形成した根切り刃１０７を取り付けて苗植付爪１７による苗の掻き取り時に苗Ｎの根切りを行うようにしている。また、苗取出口３９の奥に第二根切り刃１０８を設けるか苗取出口３９自体に鋸刃を形成するのも良い。さらに、左右の根切り刃１０７と第二根切り刃１０８を一体にしたコ字状根切り刃にしても良い。
【００２２】
６条植え形態に仕切られる苗タンク１６の底部には、繰出ベルト１５が下部の駆動軸３５と上部の遊転軸３６間に張設されて、ラチェット機構３７を介して間欠的に駆動される。
【００２３】
各縦植付フレーム３１の後端部には、上記左右両側に駆動回転クランク１７ａの回転によって昇降駆動される一対の苗植付爪１７が設けられ、この植付爪１７を前記苗取出ガイド３４に形成の苗取出口３９と圃場との間で植付軌跡Ａを描いて作動させることによって、各苗タンク１６の繰出ベルト１５によって繰り出される苗を分離保持して挿植することができる。
【００２４】
ここで、各縦植付フレーム３１の構成を図１２と図１３で説明する。基部が苗植フレーム１４に固定されて後方に向けて片持ち状に延設された縦植付フレーム３１は、左右のケ−ス体３１ａ，３１ｂをボルト４５にて固定して構成されている。
【００２５】
苗植フレーム１４内に左右方向に設けた駆動軸４６の第１駆動ベベルギヤ４７と縦植付フレーム３１の前部に縦方向に回転自在に支架した縦回転軸４８の前部に設けた第１従動ベベルギヤ４９とを噛合させて、駆動軸４６の回転動力を縦回転軸４８に伝動している。
【００２６】
そして、縦回転軸４８の後方に左右方向に設けた第１横軸５０ａと第２横軸５０ｂとを回転自在に支架し、縦回転軸４８の後部に設けた第２駆動ベベルギヤ５１と第１横軸５０ａに設けた第２従動ベベルギヤ５２とを噛合させ、第１横軸５０ａと第２横軸５０ｂとに各々設けたギヤ５３，５４を噛合させて、第２横軸５０ｂに動力を伝動する構成としている。そして、該第２横軸５０ｂに設けた駆動スプロケット５５と苗植付爪１７の駆動軸５６に設けた従動スプロケット５７との間に伝動チェ−ン５８を設けて、苗植付爪１７の駆動軸５６に回転動力を伝達する構成としている。
【００２７】
前記駆動回転クランク１７ａは、該苗植付爪１７の駆動軸５６に固定されている。そして、揺動クランク１７ｂは、縦植付フレーム３１の後部に設けた回動支軸５９に上端を回転自在に枢支し、下端を苗植付爪１７の後部に回転自在に装着されている。従って、苗植付爪１７は、駆動軸５６の回転動力にて駆動回転クランク１７ａが回転して、該駆動回転クランク１７ａの回転により揺動クランク１７ｂが前後方向に揺動して、苗植付爪１７は苗タンク１６に載置されたイグサマット状苗Ｎを苗取出ガイド３４の苗取出口３９から一株分ずつ取出して、圃場に植付ける作動軌跡Ａを作動する構成としている。
【００２８】
尚、駆動回転クランク１７ａには、駆動軸５６の反対方向に向けて一体的にバランサ１７ｃが設けられており、苗植付爪１７が円滑に作動する構成となっている。そして、イグサ苗移植機の場合条間が２１ｃｍと狭いので（田植機の場合は条間が３０ｃｍ）、隣接する苗植付爪１７間の空間は狭くなっている。従って、該バランサ１７ｃの揺動クランク１７ｂ下端が苗植付爪１７の後部に回転自在に装着されている枢支部位に対応する部分を凹部としてあり、狭い隣接する苗植付爪１７間の空間内にバランサ１７ｃが配置できる構成となっている。
【００２９】
尚、苗取出ガイド３４の最下端部が図８に示すように縦植付フレーム３１の左右のケ−ス体３１ａ，３１ｂをボルト４５にて固定する部分の間に配置された構成となっており、苗取出ガイド３４が更に低い位置になって、苗植付爪１７が苗取出ガイド３４の苗取出口３９から一株分の苗を取出して圃場に植付けるまでの距離が短くなり、苗植付爪１７による苗の植付けが適正に行なわれるようになっている。
【００３０】
左右方向中央部の縦植付フレーム３１の下側にはセンタフロート１８を設け、左右外側の縦植付フレーム３１の下側にはサイドフロート１９が配置されている。これら各フロート１８，１９は、苗植フレーム１４の下側を横方向に沿う支持軸４０周りに上下回動調節可能に設けられる支持アーム４１の後端に設けたフロート軸４２によってその前部が上下揺動自在に支持される。センタフロート１８、及びサイドフロート１９には、後部上にブラケット４３を取り付けて、このブラケット４３を各フロート１８，１９毎に対応して設けられる支持アーム４１にフロート軸４２によって枢支する。これら各フロート軸４２は、苗植付爪１７の昇降作動位置近くに設けられ、各フロート１８，１９の前部上下揺動による苗植付爪１７の支持高さの変化が少ないように構成している。
【００３１】
このようにして、センタフロート１８、サイドフロート１９は、各別にフロート軸４２周りに前部が上下揺動自在に支架されるが、このうちセンタフロート１８の前部上下揺動によって、リンク機構４４を介して、前記リフトシリンダ２８の油圧回路の制御弁を作動させて、このセンタフロート１８が大きく上動すると、このリフトシリンダ２８を伸ばして苗植装置１２を上昇し、又、センタフロート１８が下動すると、リフトシリンダ２８を縮少して苗植装置１２を下降して、圃場の耕盤の深浅変化に拘らず略一定した苗植付深さを維持するように制御する構成としている。
【００３２】
図１７と図１８には、圃場に植え付けた苗Ｎに苗植付爪１７に付着した泥が付かないように、センタフロート１８サイドフロート１９に苗植付爪１７と下方に向かうガイド杆６３を設けた実施例を示している。このガイド杆６３によって植付直後の苗Ｎを側方へガイドして苗植付爪１７から泥が苗Ｎに付着するのを防いでいる。
【００３３】
図１９は、縦植付フレーム３１の後部に設けた回動支軸５９上を覆う植付けカバー６４を設けた実施例を示し、苗植付爪１７が苗の植え付け時に跳ねる泥が苗や回動支軸５９に付着するのを防いでいる。
【００３４】
次に、前記繰出ベルト１５を間欠駆動するラチェット機構３７の構成について、説明する。
苗タンク１６がリ−ドカム軸３２の回転によって左、右横端部に移動案内されたとき、このラチェット機構３７を作動させて、駆動軸３５を一定角度回動し、繰出ベルト１５を一横株並列分だけ後下方の苗取出ガイド３４側へ繰出すように構成するものである。
【００３５】
前記駆動軸３５上にラチェットホイル６５と、揺動力ムアーム６６を設け、この揺動力ムアーム６６に設けられる駆動爪６７を該ラチェットホイル６５に押圧させて係合させる。このカムアーム６６を、リ−ドカム軸３２からアーム６８、リンクロッド６９を介して連動回動することにより、駆動爪６７でラチェットホイル６５を一定角度繰出側へ間欠的に回動することができる。このカムアーム６６にはカム７０が形成される。
【００３６】
このラチェットホイル６５の外周に弾発係合するストッパー用の従動爪７１，７２が、苗タンク１６側部のブラケット７３に枢支されている。カムアーム６６によってラチェットホイル６５を繰出側Ｋへ回動するときは、このカム７０が従動爪７２を外方へ押し外して、繰出側Ｋ方向の回動を許すように構成している。ラチェットホイル６５が繰出側Ｋへ回動される毎に、これら従動爪７１，７２が係合して、このラチェットホイル６５の回動を係上して、繰出ベルト１５の繰出位置を固定し、正確な苗の分離及び苗の植付けを行わせる。
【００３７】
このようなラチェット機構３７において、このラチェットホイル６５の回動角度を変更することによって繰出ベルト１５の繰出側Ｋへの回動量を変えて、苗繰出量を多・少に変更可能に構成している。前記リンクロッド６９先端の連動ピン７４を、揺動力ムアーム６６に形成の長穴７５に係合させる。この長穴７５は、カムアーム６６の揺動軸心部である駆動軸３５に対して略放射方向に向けて形成されて、この長穴７５に沿って連動ピン７４を移動して、この連動ピン７４の駆動軸３５の軸芯からのアーム長さを変更して位置決めすることができる。連動ピン７４は、リンクロッド６９を回動自在に連結すると共に、カムアーム６６の長穴７５に対する嵌合連結位置を移動可能にして、ナット７６で締付けて位置決め固定することができる。
【００３８】
前記苗移植機において、水稲苗移植機の仕様では、この連動ピン７４の移動Ａ３，Ｂ３によって、カムアーム６６のアーム長比が変るため、水稲苗では苗繰出量が少なくなり、イグサ苗では多くなる。このようなリンクロッド６９のアーム６８に対する連結リンクピン７７部は、スプリング７８を介して弾発回動のアーム７９が連結されて、前記カムアーム６６を常時復帰側へ回動付勢している。これらラチェットホイル６５と、揺動力ムアーム６６、駆動爪６７、及び各従動爪７１，７２等の関係構成、及び関係位置を変えることなくして、連動ピン７４の長穴７５に対する位置移動によって、苗繰出ベルト１５の回動量を変更することができ、構成、及び操作を簡単化することができる。
【００３９】
このような繰出ベルト１５は、苗タンク１６の運転席２０側に向けて延設した操作レバー８０の操作によって、リンクロッド８１を介して前記揺動力ムアーム６６を揺動回動するように連動構成している。運転者が運転席２０側から操作レバー８０操作しながら、繰出ベルト１５を手動回動して苗補給することができ、苗植伝動が停止されている場合や、苗タンク１６の横移動の途中位置等で苗補給するとき、苗補給を容易に行うことが出来る。
【００４０】
前記苗タンク１６の苗載部上方には、苗押え杆８２を苗浮き上がり防止の苗押さえ状態と非作用状態とに上下回動可能に設けている。この苗押え杆８２は、６条植形態の苗タンク１６において、２条植毎の苗タンク１６を一体にして３組に構成して、各組毎の苗押え杆８２を回動可能にして、苗タンク１６下端横側部の支持ステー８３に対して支持軸８４で枢支させる。各苗押え杆８２の支持軸８４の一側端にはストッパアーム８５を設けて、支持ステー８３の係上部８６，８７に係合させることができ、この苗押え杆８２の起立位置、又は倒伏位置を係止する。
【００４１】
この各支持軸８４の左右端部を軸受するソケット８８，８９を各支持ステー８３に取付ける。苗タンク１６の左右両端部に取付けるソケット８８は、一側端に鍔部９０、及びボルト部９１を形成して、支持ステー８３に形成のソケット穴に嵌合させて、各支持ステー８３の外側からナット９２で締め付けて取り付ける。又、苗タンク１６幅中間部の支持ステー８３には、単なる円筒状のソケット８９を一体に取付ける。左右両側の苗タンク１６の支持軸８４は、これらソケット８８，８９にわたって嵌合支持し、中間部の苗タンク１６に取付けられる支持軸８４は、両端部を同形態のソケット８９間にわたって嵌合支持させる。従って、これら左右両側部はソケット８８を共用して取付けることができると共に、中間部はソケット８９を共用して取付けることができる。
【００４２】
また、支持ステー８３には、苗タンク１６の苗取出口３９部上方位置に、苗を苗植付爪１７の作動軌跡Ａから離れる方向に傾斜させる苗抵抗棒１１０が設けられている。該苗抵抗棒１１０は、蝶ボルト１１１にて固定及び回動自在の支持体１１２に固定されており、このイグサ苗移植機でイグサ苗を移植する時は、蝶ボルト１１１を緩めて苗抵抗棒１１０が案内溝１１３の上端に位置する状態とし、蝶ボルト１１１を締めて固定する。
【００４３】
すると、硬いイグサ苗を少しだけ後方に傾斜させる状態となって、適正なイグサ苗の植付け作業が行える。そして、このイグサ苗移植機で水稲苗を移植する時は、蝶ボルト１１１を緩めて苗抵抗棒１１０が案内溝１１３の下端に位置する状態とし、蝶ボルト１１１を締めて固定する。すると、柔らかな水稲苗を大きく後方に傾斜させて苗の葉が苗植付爪１７と干渉して傷むことを防止でき、適正な水稲苗の植付け作業が行える。
【００４４】
次に、苗タンク１６の繰出ベルト１５の駆動を部分的に停止する各条クラッチ９３の構成を説明する。
６条植え用のイグサ苗移植機であるから、苗タンク１６は６つの苗載部１６−１，１６−２，１６−３，１６−４，１６−５，１６−６にて構成されており、各苗載部１６−１〜１６−６は仕切壁部１６ａにて仕切られた構成となっている。
【００４５】
前記繰出ベルト１５は、その駆動軸３５に装着されて各条クラッチ９３を介して回転されるベルト駆動ロ−ル９４と上部の遊転軸３６に外嵌合されたベルト従動ロ−ルとに巻き掛けて設けられ、ベルト駆動ロ−ル９４の回転にてその上に載置されたイグサマット状苗Ｎを一株分の幅だけ下方に送る構成としている。
【００４６】
そして、各条クラッチ９３の従動クラッチ爪部９３ａが設けられた従動体９５は、内部に従動クラッチ爪部９３ａが設けられ、その外形は円筒形状に構成されていて、前記ベルト駆動ロ−ル９４の側端部の内部に嵌合して固定された構成となっている。そして、該従動体９５は、仕切壁部１６ａの側方から嵌め込んで繰出ベルト１５の下方部で仕切壁部１６ａにボルト９６にて固定した鉄製のコ字状軸受け体９７にて回転自在に支持する構成としている。尚、軸受け体９７の仕切壁部１６ａ側壁に接当する部位は、該仕切壁部１６ａと繰出ベルト１５との間の空間部に配置された構成となっており、各条クラッチ９３部の支持構成を狭い仕切壁部１６ａに構成できるものとなっている。
【００４７】
一方、各条クラッチ９３の駆動クラッチ爪部９３ｂは、駆動軸３５と一体回転するように該駆動軸３５上でスライド自在に設けられた駆動体９８の先端部に形成されている。そして、該駆動体９８は、別途設けられた操作レバーの操作にて作動する操作ワイヤー９９の先端部に連携された作動アーム１００にて、軸方向に移動して駆動クラッチ爪部９３ｂが従動クラッチ爪部９３ａ部に係合する状態と離れる状態とに切換えられる構成となっている。従って、上記の操作レバーにて、各条クラッチ９３は、各々独立して駆動状態と非駆動状態とに切換えられ、苗タンク１６の各苗載部の繰出ベルト１５は各別に苗送り作動状態と非作動状態とに切換えられる。
【００４８】
図２０は、苗タンク１６の上端に幅の広い水平延長部１６ｄを形成した実施例で、この水平延長部１６ｄにイグサマット状苗Ｎを載せたり、苗箱１０３からイグサマット状苗Ｎを苗取り板１０５で掬い取る作業を行ったり出来る。
【００４９】
図２１は、苗タンク１６の上端に苗箱１０３を載せ置き出来るようにした実施例で、苗押えブラケット１０１で屈曲した苗押え杆８２を取り付け、この苗押え杆８２の上に横長の苗箱受１０２を着脱可能に取り付けている。苗箱受１０２と苗タンク１６上端の平面部１６ｂにかけて苗箱１０３を載せ置いて、苗箱１０３からイグサマット状苗Ｎを取り出して苗タンク１６に供給する作業を行うのである。
【００５０】
図２２は、苗タンク１６の上端に苗取り板１０５を取り付けてイグサマット状苗Ｎを余分に載せられるようにした実施例で、苗タンク１６の上端１６ｃにスリット１０６を形成し、苗タンク１６の裏面に止め具１０４を取り付けている。苗取り板１０５をスリット１０６に差し込んで苗タンク１６を上方へ延長し、苗Ｎを多く載せられるようにしている。
【００５１】
図２４には、苗箱１０３に育苗用イグサ苗Ｎを植え付けるための道具を示している。
苗箱１０３は長い横桟１１４と短い縦桟１１５で四角の箱に形成している。この苗箱１０３の縦桟１１５と同じ長さの作条具１１６には、上面に取手片１１８を取り付け、下面に横桟１１４の外側に当てる規定片１１７と一定間隔で突起させる針状体１１９を設けている。そして、苗箱１０３に育苗土を入れて、作条具１１６で苗箱１０３の規定片１１７を横桟１１４に当てて上面を滑らせると、育苗土に多数の線が描かれるので、この線を基準に育苗用イグサ苗Ｎを植え付けるのである。その際に、線ピッチより幅のある苗Ｎは、斜めに挿す。また、苗箱１０３に入れる育苗土は苗箱１０３の上面まで入れ、給水してから苗Ｎを挿していくことで苗Ｎが安定する。
【００５２】
育苗土は、粘土含有量が１５〜３０％の山土を乾燥後に粉砕して２ｍｍの篩選別を行う。その後に、再び２ｍｍの篩選別を行い、ベントナイトを重量比で０．５〜３．０％未満を混合し、さらに緩効性肥料を混合する。緩効性肥料は、ＮとＰとＫが０．１〜０．４ｇ／土１ｋｇとする。
【００５３】
ＰＨが５．５〜７．０で、ＥＣが０．１〜０．５ｍＳ／ｃｍで株挿しに適した育苗土となる。
【符号の説明】
【００５４】
１  空苗箱収納枠
７  空苗箱
１２  苗植装置
２０  運転席
【図１】
2010273555.tif 000003
【図２】
2010273555.tif 000004
【図３】
2010273555.tif 000005
【図４】
2010273555.tif 000006
【図５】
2010273555.tif 000007
【図６】
2010273555.tif 000008
【図７】
2010273555.tif 000009
【図８】
2010273555.tif 000010
【図９】
2010273555.tif 000011
【図１０】
2010273555.tif 000012
【図１１】
2010273555.tif 000013
【図１２】
2010273555.tif 000014
【図１３】
2010273555.tif 000015
【図１４】
2010273555.tif 000016
【図１５】
2010273555.tif 000017
【図１６】
2010273555.tif 000018
【図１７】
2010273555.tif 000019
【図１８】
2010273555.tif 000020
【図１９】
2010273555.tif 000021
【図２０】
2010273555.tif 000022
【図２１】
2010273555.tif 000023
【図２２】
2010273555.tif 000024
【図２３】
2010273555.tif 000025
【図２４】
2010273555.tif 000026